(57)【特許請求の範囲】
【請求項１】
電線と、
該電線から電力供給を受ける電子部品と、
前記電線と前記電子部品とを接続するコネクタと、
前記電線と前記電子部品と前記コネクタとを一面上に一体化する保持部材と、を備え、
前記電子部品と前記コネクタは、前記保持部材の前記一面上に固定され、
前記保持部材を吐水管内に挿入してなることを特徴とする水栓。
【請求項２】
電線と、該電線から電力供給を受ける電子部品と、前記電線と前記電子部品とを接続するコネクタと、を保持部材の一面上に一体化し、該保持部材を吐水管内に挿入してなり、
前記保持部材は、吐水管の吐水口側に突出する摘み部を有することを特徴とする水栓。
【請求項３】
電線と、該電線から電力供給を受ける電子部品と、前記電線と前記電子部品とを接続するコネクタと、を保持部材の一面上に一体化し、該保持部材を吐水管内に挿入してなり、
前記保持部材は薄いシート状であることを特徴とする水栓。
【請求項４】
前記シート状の保持部材は貫通穴を有し、前記電線がシートの上面側から前記貫通穴に挿通されることを特徴とする請求項３に記載の水栓。
【請求項５】
吐水管の吐水口側から、前記電子部品、前記コネクタ、前記電線の順番で前記保持部材上に並んでいることを特徴とする請求項１から４のいずれかに記載の水栓。
【請求項６】
前記電子部品、前記電線および前記コネクタが前記保持部材上に直線状に並んでいることを特徴とする請求項５に記載の水栓。
【請求項７】
前記保持部材を前記吐水管の内面に押し付けるための部材をさらに備えることを特徴とする請求項１ないし６のいずれかに記載の水栓。
【発明の詳細な説明】
【技術分野】
【０００１】
本発明は、電子部品等が吐水管内に配置される水栓に関する。
【背景技術】
【０００２】
従来より、吐水を開始させるためのセンサを備える自動水栓が知られている。特許文献１には、手をかざすことで吐水を開始させる手かざしセンサと、吐水管内に挿入され吐水管の内径に沿って延びるセンサホルダと、を備え、手かざしセンサがセンサホルダの上面に載置される構造の自動水栓が開示されている。この自動水栓では、センサから延びるコネクタおよびハーネスは、センサホルダの下側に回り込ませ、センサホルダにハーネスを巻き付けた状態で吐水管内に収納されている。
【先行技術文献】
【特許文献】
【０００３】
【特許文献１】特許５２４７３９２号
【発明の概要】
【発明が解決しようとする課題】
【０００４】
上記特許文献１のような収納方法では、自動水栓のメンテナンスの際に、まずセンサホルダを吐水管から引き抜き、センサホルダに巻き付いているハーネスをほどき、さらにセンサホルダに固定されているコネクタを外さないと、センサを取り出すことができず、煩雑な作業になる。また、ハーネスおよびコネクタをセンサホルダに巻き付けているので、センサホルダの吐水管内への収納時に、ハーネスの絡まり、ハーネスの屈曲に起因する断線、コネクタと他部材との干渉などが発生しないよう慎重に作業する必要があった。
【０００５】
本発明は、このような課題に鑑みてなされ、その目的は、電子部品、電線、コネクタ等が吐水管内に配置される水栓において、メンテナンス性を向上させる技術を提供することにある。
【課題を解決するための手段】
【０００６】
上記課題を解決するために、本発明のある態様は、電線と、電線から電力供給を受ける電子部品と、電線と電子部品とを接続するコネクタと、を保持部材の一面上に一体化し、保持部材を吐水管内に挿入してなる水栓を提供する。
【０００７】
この態様によると、電子部品、電線およびコネクタを吐水管から一度に引き出すことができるので、水栓のメンテナンス性が向上する。
【０００８】
吐水管の吐水口側から、電子部品、コネクタ、電線の順番で保持部材上に並んでいてもよい。これによると、保持部材上で各部品がシンプルな配置となるので、電線の絡まりや断線を防止することができる。
【０００９】
電子部品、電線およびコネクタが保持部材上に直線状に並んでいてもよい。これによると、保持部材を出し入れするときに、電線が絡まったり断線したりすることを防止できる。
【００１０】
保持部材は、吐水管の吐水口側に突出する摘み部を有してもよい。これによると、摘み部を摘んで保持部材を引き出しやすくなる。
【００１１】
保持部材は薄いシート状であってもよい。これによると、吐水管内で保持部材が占めるスペースを小さくできる。また、シートが変形しやすいため、例えばグースネック形状の吐水管内にも保持部材を挿入しやすくなる。
【００１２】
シート状の保持部材は貫通穴を有し、電線がシートの上面側から貫通穴に挿通されてもよい。これによると、シートの後端部が電線で持ち上がるため、吐水管内のインナー等の他の部材との干渉を防止することができる。
【００１３】
保持部材を吐水管の内面に押し付けるための部材をさらに備えてもよい。これによると、センサ等の電子部品を吐水管の適所に保持することができる。
【発明の効果】
【００１４】
本発明によれば、電子部品、電線、コネクタ等が吐水管内に配置される水栓において、メンテナンス性および組み付け性を向上させることができる。
【図面の簡単な説明】
【００１５】
【図１】本発明の一実施形態に係る水栓を備えたキッチンの概略図である。
【図２】水栓の全体斜視図である。
【図３】吐水管の側面図である。
【図４】吐水管の先端の拡大斜視図である。
【図５】吐水口部材を引き出した状態の斜視図である。
【図６】吐水管の側面方向の断面図である。
【図７】センサホルダの斜視図である。
【図８】シート状の保持部材の斜視図である。
【発明を実施するための形態】
【００１６】
図１は、本発明の一実施形態に係る水栓１０を備えたキッチンの概略図である。キッチン１００にはシンク１０２が設けられ、シンク１０２の後側には、天面に対して段差を有するカウンタ１０４が設けられている。カウンタ１０４の左側には水栓１０が設置され、カウンタ１０４の右側には浄水水栓１０６が設置されている。水栓１０は水道管に接続され通常の水道水を供給するのに対し、浄水水栓１０６はシンク１０２の下方に設置される浄水装置に接続されており、浄化された水を供給する。
【００１７】
以下、本明細書において「上」、「下」、「前」、「後」、「左」、「右」、「内」、「外」、「手前」、「奧」等の方向を表す用語が用いられる場合、それらは水栓１０がキッチン等に取り付けられたときの姿勢における方向を意味する。
【００１８】
図２は、図１の水栓１０の全体斜視図である。水栓１０は、基端部２４と、ハンドルレバー２２と、基端部２４の上端面から延出した、吐水部としての吐水管１２と、を主に備える。図３は、基端部２４から取り外した状態の吐水管１２の側面図である。
【００１９】
吐水管１２は、その中間部１２ａが湾曲して逆Ｕ字状に形成され、その先端１２ｂが斜め下方に延び出した、いわゆるグースネック状に形成される。吐水管１２は、金属材料を素材とする鋳物により形成される。詳細は後述するが、吐水管１２の先端１２ｂには、吐水口３８を有する吐水口部材３０と、吐水口３８からの吐水を制御するための自動吐水用センサ４０とが設けられている。図３に示すように、吐水管１２の基端部側には、基端部２４と連結するための連結部材２６が設けられている。
【００２０】
図１に示したように、基端部２４は、キッチンのカウンタ１０４の上面に配置される。基端部２４の上端には、ハンドルレバー２２が設けられている。
【００２１】
基端部２４の内部には、冷水および温水の供給源とそれぞれ接続された冷水管および温水管（図示せず）が延在している。冷水管および温水管と、吐水管１２内に収納され吐水口３８に給水するための給水ホースとの間には、電磁弁（図示せず）が設けられる。この電磁弁は、図示しない制御部による制御のもと弁を開閉して、冷水管および温水管から給水ホースへの水の流れを制御できるようになっている。
【００２２】
基端部２４の内部には、水と湯とを所定比率で混合して適温の温水とする混合弁（図示せず）が設けられている。ハンドルレバー２２はこの混合弁を操作するレバーであり、左右回動操作によって水と湯との混合比率を調節し、すなわち混合水の温度を調節し、また上下回動操作によって温水の吐水流量を調節する。
【００２３】
吐水管１２の先端１２ｂには、自動吐水用センサ４０が設けられている。自動吐水用センサ４０は、例えば、発光部と受光部を有する赤外線式測距センサである。自動吐水用センサ４０は、発光部から吐水口部材３０の吐水口３８の下方に光を投光し、投光した光による使用者の手または食器等の被検知物からの反射光を受光部で受光し、所定の検知エリア内に被検知物があるか否かを検知する。自動吐水用センサ４０は、被検知物の検知結果を示す信号を制御部に出力する。
【００２４】
吐水管１２の手前側、すなわちキッチンに立つ使用者と面する側には、手かざしセンサ１４が設けられている。手かざしセンサ１４は、発光部と受光部を有する赤外線式光量センサである。手かざしセンサ１４は、センサ１４の斜め上方に光を投光し、投光した光による使用者の手等の被検知物からの反射光を受光部で受光し、所定の検知エリア内に被検知物があるか否かを検知する。手かざしセンサ１４は、被検知物の検知結果を示す信号を制御部に出力する。
【００２５】
制御部は、マイコンを搭載した回路基板により構成される。制御部は、自動吐水用センサ４０または手かざしセンサ１４からの出力信号に基づき電磁弁を開閉し、吐水口部材３０の吐水口３８からの給水の有無を切り替える。なお、制御部は、コンピュータのＣＰＵ、メモリをはじめとする素子や回路を組み合わせて実現されていればよい。
【００２６】
なお、自動吐水用センサ４０では、検知エリア内で被検知物が検知されている間だけ、吐水口３８から給水を行うように制御されるのに対し、手かざしセンサ１４では、一旦検知エリア内で被検知物が検知されると、その後被検知物が検知されなくなっても吐水口３８からの給水が継続される。検知エリア内でもう一度被検知物が検知されると、吐水口３８からの給水が停止される。
【００２７】
吐水管１２の使用者から見て手前側、かつ手かざしセンサ１４よりも下側（吐水管１２の先端１２ｂ側）には、押しボタン式のオンオフスイッチ１６が設けられている。オンオフスイッチ１６がオフにされているときは、自動吐水用センサ４０は作動せず、センサ４０の下方に物体が存在しても吐水口３８から給水されることはない。
【００２８】
図３から分かるように、本実施形態では、吐水管１２は一定の曲率となるように形成されている。さらに、吐水管１２の中間部１２ａの頂点に近い部分から吐水管の先端１２ｂにかけて、吐水管１２の下側に向けて膨らんだ中空の張出部１８が形成されている。この張出部１８の下面は、吐水管１２自体よりも曲率が小さいが、吐水管１２の基端部２４側から連続的な滑らかな曲線でつながるように形成されている。張出部１８の先端１８ａは、吐水管１２の先端１２ｂよりも吐水管の軸方向の奧側（吐水管１２の上流側、図３では右斜め上側）に位置している。このような吐水管の製造方法としては、バルジ加工、亜鉛ダイキャスト、樹脂成形等がある。
【００２９】
自動吐水用センサ４０よりも、使用者から見て吐水管１２の奥側には、引き出し自在に構成された吐水口部材３０が取り付けられている。図３から分かるように、吐水口部材３０は、張出部１８の先端、および吐水管１２の先端１２ｂよりも使用者から見て奧側に取り付けられる。吐水口部材３０が取り付けられた状態で、吐水口部材３０の湾曲の内周側は、吐水管１２の基端部２４側および張出部１８の内周側の面と連続的に滑らかな曲線でつながるように形成されている。
【００３０】
図４は、吐水管１２の先端１２ｂ付近の拡大斜視図であり、図５は、吐水口部材３０を引き出した状態を示す図である。
【００３１】
吐水口部材３０は、カバー部３２と、切替操作部３４と、吐水口３８とを有している。
【００３２】
図５に示すように、吐水口部材３０には、可撓性のある金属製の給水ホース５０が接続されている。給水ホース５０の他端は、上述の電磁弁に接続されている。給水ホース５０は、吐水管１２および張出部１８の内部を管軸方向に所定の長さだけ移動自在に収納されている。したがって、吐水口部材３０を吐水管１２から引き出すと、給水ホース５０もそれにつれて引き出される。吐水口部材３０を引き出す方向は、吐水管１２の軸方向とほぼ同じ方向である。吐水口部材３０を吐水管１２に取り付けるとき、給水ホース５０は張出部１８および吐水管１２の中を基端部２４側に向けて移動する。給水ホース５０内を流れる水は、吐水口３８を通して吐出される。
【００３３】
カバー部３２は、給水ホース５０と切替操作部３４を接続するとともに、吐水口部材３０を吐水管１２から取り外すときに使用者が把持する部分を構成している。また、カバー部３２は、吐水口部材３０を吐水管１２に対して容易に着脱可能とするアタッチメントとしての機能も有している。
【００３４】
吐水管１２の先端１２ｂには、管の内側に向けて凹んだ端面４２が形成されており、この端面４２と面一になるように自動吐水用センサ４０が配置されている。吐水管１２の管壁１２ｃにより、自動吐水用センサ４０の周囲が奥まったかたちとなるので、センサ４０に使用者の手が接触することによるセンサ発光面および受光面の汚染や、食器がぶつかることによる損傷を防止することができる。
【００３５】
吐水管１２の先端１２ｂでは、管壁１２ｃの一部が切り欠かれて、切り欠かれた部分には、吐水口部材３０の収納時にガイドとして機能する凹み形状の保持部４４が設けられている。吐水口部材３０のカバー部３２の上面（使用者から見て手前側の面）には、吐水口部材３０の収納時に保持部４４と対向する凸部３１が形成されている。
【００３６】
上述したように、張出部１８と吐水管１２の下面は滑らかに連続しており、管の内部に角や大きな曲率変化が存在しないようにされている。このため、吐水口部材３０を引き出したり収納したりするときに、吐水口部材３０に接続されている給水ホース５０が吐水管１２および張出部１８内で引っかかることがないので、吐水口部材３０の操作がしやすい。また、屈曲部がないため、吐水管１２および張出部１８の外面の清掃が容易になる。
【００３７】
収納状態にある吐水口部材３０の後端が接する張出部１８の先端１８ａは、吐水管１２の先端１２ｂよりも吐水管の軸方向の奧側（吐水管１２の上流側）に位置している。このため、吐水口部材３０が収納された状態では、吐水口部材３０の吐水口３８は自動吐水用センサ４０の比較的近傍に位置するようになる。このように、吐水口部材３０を自動吐水用センサ４０よりも管軸方向の吐水管の軸方向の奧側すなわちセンサ４０の背後から引き出す構造とすることで、センサ４０の発光部に対する吐水口部材の下方への突出量を小さくしてセンサの発光部と吐水口の距離を近づけることができる。よって、吐水口の下に手を出した際にセンサが反応しやすくなり、使用感が向上する。また、吐水口部材の下方への突出量を小さくすることで、吐水口下方の空間を広く確保することができる。
【００３８】
吐水口部材３０の切替操作部３４は、給水ホース５０から流れる水をシャワー吐水またはストレート吐水に切り替えるための部材である。切替操作部３４は、カバー部３２の外周の下面側と滑らかに連続する形状となっており、全体として円筒形をなしている。切替操作部３４は、カバー部３２に対して中心軸回りに所定の角度（例えば９０度）だけ回転するように構成されている。切替操作部３４の円筒面には、使用者が指を掛けるための摘み部３６が形成されている。摘み部３６の位置を所定の角度回転させると、シャワー吐水とストレート吐水を切り替えることができる。
【００３９】
図６は、吐水管１２をその中心軸を含む平面で切断した、側面方向の断面図である。
【００４０】
本実施形態では、手かざしセンサ１４とオンオフスイッチ１６は、薄いシート状の保持部材７０の上面に固定され一体化されている。保持部材７０は、例えば樹脂成形されたシートであってもよいし、既存のシート材をトムソン型などで打ち抜いたものであってもよい。手かざしセンサ１４とオンオフスイッチ１６は、ハーネス７６によって上述の制御部および電源に接続されている。なお、本明細書において「ハーネス」とは、複数の電線が束にされたものを指す。ハーネスを用いる代わりに、１本の電線で手かざしセンサ１４とオンオフスイッチ１６とを制御部および電源に接続してもよい。
【００４１】
吐水管１２および張出部１８の内部には、センサホルダ６４が挿入されている。センサホルダ６４は、吐水管の内径に沿って吐水管の軸方向に延びる、樹脂製の一体成形部材である。センサホルダ６４は、保持部材７０、自動吐水用センサ４０、およびこれらから延びるコネクタとハーネスを、吐水管内で適所に保持するための部材である。自動吐水用センサ４０は、ハーネス７７によって上述の制御部および電源に接続されている。したがって、手かざしセンサ１４と自動吐水用センサ４０は、独立したそれぞれのハーネスにより水栓の基端部から外側に延出し、制御部および電源にそれぞれ接続される。これにより、水栓内部で両方のハーネスをまとめる場合と比較して水栓をコンパクトにできるほか、電源からそれぞれに電力供給するため安定した電圧でセンサを動作させることができるといった効果がある。
【００４２】
センサホルダ６４の後方、すなわち水栓１０の基端部側には、筒状のインナー８０が配置される。インナー８０は、保持部材７０およびハーネス７６と給水ホース５０とを離隔して干渉を防止するための部材である（図６では、給水ホースの一部が省略して示されている）。
【００４３】
図７は、センサホルダ６４の斜視図である。
【００４４】
センサホルダ６４は、その上面に、シート状の保持部材７０が載置される保持部材載置面６４ｅを有している。保持部材載置面６４ｅは、凹凸のない滑らかな面に形成される。
【００４５】
センサホルダ６４は、吐水口３８側の先端に、自動吐水用センサ４０が検出面を下向きにして収納されるセンサ収納部６４ｂを有している。また、センサホルダ６４は、センサ収納部６４ｂの後方、すなわち吐水管１２の基端部に向かう方向に、自動吐水用センサ４０と制御部から延びるハーネスとを接続するためのコネクタ４３が収納されるコネクタ収納部６４ｃを有している。センサホルダ６４は、コネクタ収納部６４ｃのさらに後方、すなわち吐水管１２の基端部に向かう方向に、ハーネスを保持するためのハーネス収納部６４ｇ（図７では裏側に位置する）を有している。
【００４６】
上記のように、センサ収納部６４ｂ、コネクタ収納部６４ｃ、ハーネス収納部６４ｇが吐水管の軸方向に並べて設けられたセンサホルダ６４を使用することで、自動吐水用センサ４０、コネクタおよびハーネスを、吐水管内の比較的小さい空間に収まり良く収納することが可能になる。
【００４７】
センサホルダ６４は、吐水口部材３０の収納時に吐水口部材３０を保持するための円筒状の吐水口保持部６４ａと、吐水口部材３０に連結される給水ホース５０を収納するホース収納部６４ｈと、をさらに備えている。吐水口保持部６４ａには、給水ホース５０が挿通される穴６４ｊが形成されている。センサホルダ６４が吐水管１２内に装着された状態では、図５に示すように、吐水口保持部６４ａが張出部１８の先端１８ａから突出する。
【００４８】
図示しないが、吐水口部材３０の張出部１８に面する後端には、吐水口保持部６４ａと嵌合する凹部が形成されている。吐水口部材３０を収納する場合、吐水口保持部６４ａの穴６４ｊの中に給水ホース５０が押し込まれることにより、吐水口部材３０の後端が吐水口保持部６４ａに導かれる。吐水口部材３０をそのまま押し込んでいくと、吐水口部材３０の上面に形成された凸部３１が吐水管１２の保持部４４により誘導され、吐水口部材３０と吐水口保持部６４ａとが嵌合することにより、吐水口部材３０が吐水管１２に対して保持される。吐水口部材３０を引き出す場合は、吐水口部材３０を斜め下方に向けて引くと、凸部３１が保持部４４により誘導されて引き出される。
【００４９】
このように、吐水口保持部６４ａをセンサホルダ６４と一体化したことによって、吐水口部材周りがすっきりとしたコンパクトな外観となり、したがって清掃性も向上する。
【００５０】
図８は、シート状の保持部材７０の斜視図である。上述したように、保持部材７０の上面に、手かざしセンサ１４とオンオフスイッチ１６が固定される。手かざしセンサ１４とオンオフスイッチ１６は、別個に保持部材７０に固定されてもよいが、図８に示すように、手かざしセンサ１４とオンオフスイッチ１６を一体化した成形部材７８を保持部材７０に固定するとより好ましい。この成形部材７８は、吐水管１２の内径に沿うように湾曲している。手かざしセンサ１４、オンオフスイッチ１６、または成形部材７８は、両面テープによって保持部材７０の上面に貼付されてもよいし、手かざしセンサ１４、オンオフスイッチ１６、または成形部材７８に形成された爪部（図示せず）を、保持部材７０に開けられた穴に係合させることで、保持部材７０に固定されてもよい。あるいは、手かざしセンサ１４とオンオフスイッチ１６を保持部材７０と一体的に成形してもよい。
【００５１】
手かざしセンサ１４およびオンオフスイッチ１６は、それぞれコネクタ７２、７４を有している。コネクタ７２、７４は、水栓１０の基端部２４から延びるハーネス７６にそれぞれ接続される。コネクタ７２、７４は、両面テープまたは爪部などにより、保持部材７０の上面に固定される。ハーネス７６は、手かざしセンサ１４およびオンオフスイッチ１６に電力を供給するラインと、手かざしセンサ１４およびオンオフスイッチ１６からの信号を制御部に通信するラインと、を含む。
【００５２】
図示するように、成形部材７８、コネクタ７２、７４、およびハーネス７６は、保持部材７０上に直線状に配置されている。また、コネクタ７２、７４およびハーネス７６は、保持部材７０によってセンサホルダ６４から離隔されている。こうすることで、保持部材７０を吐水管１２に出し入れするときに、ハーネスが絡まったり断線したりすることを防止できる。
【００５３】
保持部材７０の吐水口側の端部には、成形部材７８の先端よりも吐水口側に突出する舌状の摘み部７０ａが形成されている。保持部材７０の基端部側の端部には、貫通穴７０ｂが形成されている。ハーネス７６は、保持部材７０の上面側から貫通穴７０ｂに挿通される。ハーネス７６は、貫通穴７０ｂに挿通されることにより保持部材７０と一体化されているが、両面テープまたは爪部などにより保持部材７０の上面に固定されてもよい。
【００５４】
図６を再び参照して、水栓１０のメンテナンス方法について説明する。まず、吐水口部材３０を吐水口保持部６４ａから引き出し、続いてセンサホルダ６４を吐水管１２から引き抜く。次に保持部材７０の摘み部７０ａを摘んで保持部材７０を引き出すことで、保持部材７０と一体化された成形部材７８、コネクタ７２、７４、およびハーネス７６を一度に引き出すことができる。このとき、保持部材７０とハーネス７６はインナー８０の上に乗っているので、給水ホース等の他の部材と干渉することはない。
【００５５】
組み付け時には、先にインナー８０が挿入された状態で、保持部材７０を吐水管１２内に挿入する。このとき、キッチンのカウンタ下からハーネス７６を引っ張ることで、保持部材７０を吐水管内に引き入れることができる。上述したように、ハーネス７６が保持部材７０の吐水口側の上面側から貫通穴７０ｂに挿通されているので、保持部材７０の基端部側端部７０ｃが持ち上がった状態になる。したがって、基端部側端部７０ｃがインナー８０の先端に引っかかることなく、インナー８０の上部に保持部材７０を乗せることができる。
【００５６】
保持部材７０が薄いシート状であるため、吐水管の形状に沿ってシートが変形しながら吐水管内に収納される。そのため、グースネック形状の吐水管であっても保持部材を組み付けしやすくなっている。また、保持部材７０が薄いシート状であれば、狭い空間でも収納しやすいため、吐水管をコンパクトにすることができる。
【００５７】
保持部材７０の挿入後、センサホルダ６４を吐水管内に挿入する。図６から分かるように、センサホルダ６４は、保持部材７０を吐水管１２の内面に押し付ける役割も有している。センサホルダ６４を吐水管内に完全に収納することによって、手かざしセンサ１４およびオンオフスイッチ１６が吐水管の管壁に形成された穴を通して突出して固定される。
【００５８】
以上説明したように、本実施の形態では、手かざしセンサ、オンオフスイッチ、コネクタおよびハーネスを保持部材上で一体化することで、メンテナンス時にこれらの部品を一度に引き出すことができ、メンテナンス性が向上する。また、保持部材上にコネクタが固定されているので、保持部材の組み付け／取り外し時のコネクタのずれや脱落、他部材との干渉を防止することができる。
【００５９】
また、ハーネスをセンサガイドに巻き付ける必要がなく、保持部材上に固定されてセンサホルダやインナーと離隔されているので、保持部材の組み付け／取り外し時のハーネスの噛み込みや絡みを防止することができる。
【００６０】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００６１】
実施の形態では、吐水口部材が自動吐水用センサよりも使用者から見て奧側（カウンタ側）に設けられているが、張出部を吐水管の手前側（シンク側）に形成して吐水口部材を自動吐水用センサよりも手前側に設けてもよい。また、吐水口部材が引き出し式でなく固定されている水栓でも、実施の形態に係る保持部材およびセンサホルダを使用することができる。
【００６２】
保持部材はシート状に限られず、吐水管内に配置することができれば他の形状であってもよく、センサホルダと一体になっていてもよい。また、保持部材上に固定されるのは、手かざしセンサとオンオフスイッチの組み合わせに限られない。いずれか一方でもよいし、これらの代わりにあるいはこれらとともに、タッチセンサ、ＬＥＤ、薄型ディスプレイ等の、ハーネスから電力供給を受ける電子部品が保持部材上に固定されてもよい。
【００６３】
保持部材上の部品の配置として、吐水管の吐水口側から、電子部品、コネクタ、電線の順番で保持部材上に直線上に並んでいる例を説明したが、電子部品よりも吐水口側にコネクタが配置されたり、または電線が保持部材上で曲線を描くように配置されていてもよい。
【００６４】
本発明に係る水栓は、建物、船舶等に設置される設備に用いることができ、キッチンの他に、洗面台、手洗器、浴室等に用いられてもよい。また、水栓の基端部が固定される基体としてカウンタを例示したが、基体は、浴室等の設備の外内を区画する壁部材等であってもよい。
【００６５】
また、吐水部の形状はグースネック状の吐水管に限定されず、直線状の吐水管などの他の形状に形成されていてもよい。センサホルダは、吐水部の形状に合わせて成形される。
【符号の説明】
【００６６】
１０  水栓、  １２  吐水管、  １４  手かざしセンサ、  ３０  吐水口部材、  ３８  吐水口、  ４０  自動吐水用センサ、  ５０  給水ホース、  ６４  センサホルダ、  ６４ａ  吐水口保持部、  ６４ｅ  保持部材載置面、  ７０  シート、  ７０ａ  摘み部、  ７０ｂ  貫通穴、  ７６  ハーネス（電線）、  ８０  インナー。
【図１】
0006453112.tif 000002
【図２】
0006453112.tif 000003
【図３】
0006453112.tif 000004
【図４】
0006453112.tif 000005
【図５】
0006453112.tif 000006
【図６】
0006453112.tif 000007
【図７】
0006453112.tif 000008
【図８】
0006453112.tif 000009